(57)【特許請求の範囲】
【請求項１】
原子炉格納容器内の原子炉圧力容器と、それを囲繞する遮蔽壁の取り替え方法において、前記原子炉圧力容器のノズルを切断する工程と、該原子炉圧力容器を原子炉格納容器外に搬出する工程と、前記遮蔽壁を下部のノズルが貫通する複数の開口部を通る同一高さの、または、段差のある水平面で切断して上下に２分割する工程と、該分割された上部遮蔽壁を格納容器外に搬出する工程と、予め上記遮蔽壁の中心軸から放射状に複数個に分割した上部遮蔽壁を、原子炉格納容器内に搬入し、その原子炉格納容器の内側であって、原子炉圧力容器を搬入する際障害とならない位置に仮り置きする工程と、新規な原子炉圧力容器を原子炉格納容器内に搬入して据え付ける工程と、前記水平切断面より下方の下部遮蔽壁の上に、前記仮り置きした複数個の上部遮蔽壁を載置する工程と、該複数個の上部遮蔽壁同志および上部遮蔽壁と下部遮蔽壁とを溶接により一体に固定して据え付ける工程と、前記新規な原子炉圧力容器のノズルと配管を連結する工程とを有することを特徴とする原子炉圧力容器の取り替え方法。
【請求項２】
上部遮蔽壁と下部遮蔽壁とを接合する際にそれらの間にスペーサーを介在させる請求項１記載の原子炉圧力容器の取り替え方法。
【発明の詳細な説明】
【０００１】
【産業上の利用分野】
本発明は、既存の原子炉圧力容器を新規なものに取り替えるために、その原子炉圧力容器を撤去する際、特に、原子炉圧力容器の周辺の構造物や機器に与える影響を少なくすることのできる原子炉圧力容器の取り替え方法に関するものである。
【０００２】
【従来の技術】
原子力発電所の原子炉圧力容器は、所定の耐用年数を経過すると原子炉圧力容器の取り替えが必要となるが、この取り替えを行なった事例はない。
【０００３】
【発明が解決しようとする課題】
ところで、原子炉圧力容器が所定の耐用年数を経過したのちに、原子炉圧力容器を撤去して新規な原子炉圧力容器に取り替えることになるが、その際、原子炉圧力容器の周辺の構造物を、できるだけそのまま残すようにして撤去できれば撤去範囲も少なくて済むことになる。また、原子炉圧力容器には各種の配管が接続されているが、その配管も原子炉圧力容器の周囲に狭い隙間を隔てて形成されている遮蔽壁を貫通して配設されていることから、原子炉圧力容器の撤去作業から新規な原子炉圧力容器の据え付け作業にいたる工事の簡素化、工期の短縮化を考慮すると、原子炉圧力容器の周囲の構造物や機器に影響を与えないことが望まれる。
【０００４】
本発明は、上記問題点に鑑み案出されたもので、原子炉圧力容器の撤去作業から新規な原子炉圧力容器の据え付け作業にいたる工事の簡素化、工期の短縮化を達成することのできる原子炉圧力容器の取り替え方法を提供することを目的とするものである。
【０００５】
【課題を解決するための手段】
上記目的を達成するため、原子炉格納容器内の原子炉圧力容器と、それを囲繞する遮蔽壁の取り替え方法において、前記原子炉圧力容器のノズルを切断する工程と、該原子炉圧力容器を原子炉格納容器外に搬出する工程と、前記遮蔽壁を下部のノズルが貫通する複数の開口部を通る同一高さの、または、段差のある水平面で切断して上下に２分割する工程と、該分割された上部遮蔽壁を格納容器外に搬出する工程と、予め切断面が垂直になるような複数個に分割した上部遮蔽壁を、原子炉格納容器内に搬入し、その原子炉格納容器の内側であって、原子炉圧力容器を搬入する際障害とならない位置に仮り置きする工程と、新規な原子炉圧力容器を原子炉格納容器内に搬入して据え付ける工程と、前記水平切断面より下方の下部遮蔽壁の上に、前記仮り置きした複数個の上部遮蔽壁を載置する工程と、該複数個の上部遮蔽壁同志および上部遮蔽壁と下部遮蔽壁を溶接により一体に固定して据え付ける工程と、前記新規な原子炉圧力容器のノズルと配管を連結する工程とを有するものである。また、  上部遮蔽壁と下部遮蔽壁とを接合する際にそれらの間にスペーサーを介在させてもよい。
【０００６】
【作用】
上述した取り替え方法によれば、新規な原子炉圧力容器のノズルを付けたままで搬入することができるので取り替えが容易で、かつ、工期を短縮することができる。
【０００７】
【実施例】
以下、本発明の好ましい実施例を図面に基づいて説明する。図１は原子炉圧力容器の格納状態を示す正面断面図、図２は原子炉圧力容器の遮蔽壁および原子炉圧力容器のノズルを切断した状態を示す正面断面図、図３は原子炉圧力容器を原子炉格納容器外に搬出している状態を示す正面断面図、図４は原子炉圧力容器を原子炉格納容器内に据え付けようとしている状態を示す正面断面図、図５は下部遮蔽壁上端の切断面の一部にスペ−サーを固定した状態を示す正面展開図、図６は図５のＡ−Ａ矢視図である。
【０００８】
図において、１は原子炉圧力容器で、その頂部に原子炉圧力容器上蓋３を有し、スタッドボルト１０により締結して一体となっている。また、その下方部に設けられた支持部材９を介してペデスタル７の上にボルト１８により固定され据え付けられている。しかも、この原子炉圧力容器１には、各種のノズル２に配管４がそれぞれ連結されている。原子炉圧力容器１の外側には、それを囲繞するように遮蔽壁５が前記ペデスタル７の上に据え付けられている。この遮蔽壁５は、外側に設けた鋼板とその内部に充填したコンクリートにより一体に構成されている。この遮蔽壁５には、ノズル２が貫通するための開口部６が設けられており、その開口部６には着脱自在な遮蔽蓋（図示せず）が配設されている。また、前記原子炉圧力容器１および遮蔽壁５の外側には、それらを包囲するように原子炉格納容器８が設けられている。さらに、その外側には原子炉建屋１５が構築されている。１１は上部遮蔽壁５ａを既設の下部遮蔽壁５ｂの切断面の上に載置し、溶接により固定するスペーサーである。１２は原子炉圧力容器１を原子炉格納容器８外に搬出したり、搬入したりする際に使用する大型ジブクレーンで、原子炉圧力容器上蓋３のフランジ３aに取り付けた吊り具１３により原子炉圧力容器１の吊り上げ吊り下げを行う。１４はその際に使用する吊りワイヤである。１６はベローズで、原子炉格納容器８に取り付けられたバルクヘッド１７と原子炉圧力容器１との間に伸縮可能に配設されている。１ｂは原子炉圧力容器１のフランジである。Ｃ１は上部遮蔽壁５ａと下部遮蔽壁５bとの切断部であり、図２では右の切断部Ｃ１は左の切断部Ｃ１より低く、図示されている。また、右の切断部Ｃ１がある開口部６を貫通するノズル２よりも下にもノズルおよびそれが貫通する開口部が図示されている。Ｃ２はノズル２の切断部である。なお、図６においてＷは上部遮蔽壁５ａおよび下部遮蔽壁５bとスペーサー１１とを固定する溶接部である。
【０００９】
次に実施例の作用を説明する。
図２において、原子炉圧力容器１を搬出するときは、まず、原子炉圧力容器１のノズル２を切断部Ｃ２で切断する。次に、該原子炉圧力容器１を原子炉格納容器８外に搬出するときは、原子炉圧力容器上蓋３のフランジ３ａに吊り具１３を取り付けた状態で、ベローズ１６を切断し、かつ、原子炉圧力容器１を固定しているボルト１８を取り外し、図３に示すように大型ジブクレーン１２によって吊り上げ、収納容器Ａに収納して密閉状態のまま原子炉格納容器８外に搬出する。続いて遮蔽壁５を搬出するときは、遮蔽壁５の下部のノズル２が貫通する複数の開口部６を通る同一高さの、または、段差のある水平面で、例えば、高圧水カッターなどにより切断部Ｃ１で切断し、上部遮蔽壁５ａと下部遮蔽壁５ｂとに２分割する。この分割した上方の上部遮蔽壁５ａに吊り具（図示せず）を取り付け、前記原子炉圧力容器１を搬出したときと同様に、大型ジブクレーン１２で吊り上げ原子炉格納容器８外に搬出する。
【００１０】
一方、新規な原子炉圧力容器１ａを原子炉格納容器８内に搬入するときは、図４に示すように、まず、予め地上で、複数個に分割して製作した上部遮蔽壁５ａを、大型ジブクレーン１２で吊り上げて原子炉格納容器８内に搬入し、原子炉格納容器８の内側であって、新規な原子炉圧力容器１ａを搬入する際障害とならない位置、すなわち、新規な原子炉圧力容器１ａのノズル２の先端より外側に仮り置きする。引き続き、工場等で製作した新規な原子炉圧力容器１ａを、該原子炉圧力容器１ａのフランジ１ｂに取り付けた吊り具１３によって大型ジブクレーン１２で吊り上げて原子炉格納容器８内に搬入し、ペデスタル７の上に支持部材９を介しボルト１８で固定して据え付ける。新規な原子炉圧力容器１ａの据え付け完了後、前記切断した既設の下部遮蔽壁５ｂの上に、前記仮り置きした複数個の上部遮蔽壁５ａを移動し、複数個の上部遮蔽壁５ａ同志および上部遮蔽壁５ａと下部遮蔽壁５ｂを溶接により一体に固定して据え付ける。さらに、その据え付け後、新規な圧力容器１ａのノズル２と配管４を溶接にて接合する。なお、上部遮蔽壁５ａと下部遮蔽壁５ｂとを接合する際にはスペーサー１１を使用すると多少の芯ずれがあっても接合が容易である。
【００１１】
【発明の効果】
以上説明したように、本発明によれば、原子炉圧力容器を取り替える際、まず、原子炉圧力容器を搬出するときは、原子炉圧力容器のノズルを切断して搬出し、遮蔽壁を下部のノズルが貫通する複数の開口部を通る同一高さの、または、段差のある水平面で切断して上下に２分割し、下部遮蔽壁は既設のまま据え置き、上部遮蔽壁のみを原子炉格納容器外に搬出する。次に、新規な原子炉圧力容器を搬入するときは、予め複数個に分割した遮蔽壁を原子炉格納容器内に搬入して、その内側に仮り置きする。続いて原子炉格納容器内に新規な原子炉圧力容器を搬入して据え付けた後、前記既設のまま据え置いた下部遮蔽壁の上に、前記仮り置きした複数個の上部遮蔽壁を移動し、それら上部遮蔽壁同志および上部遮蔽壁と下部遮蔽壁を溶接により一体に固定し、さらに新規な原子炉圧力容器のノズルと配管とを接続するようにしているので、原子炉圧力容器の取り替え作業が容易で、しかも工期を短縮することができるなど、優れた効果を奏する。
【図面の簡単な説明】
【図１】本発明の原子炉圧力容器の格納状態を示す正面断面図。
【図２】原子炉圧力容器の遮蔽壁および配管を切断した状態を示す正面断面図。
【図３】原子炉圧力容器を原子炉格納容器外に搬出しようとしている状態を示す正面断面図。
【図４】原子炉圧力容器を原子炉格納容器内に据え付けようとしている状態を示す正面断面図。
【図５】下部遮蔽壁上端の切断面の一部にスペーサーを固定した状態を示す正面展開図。
【図６】図５のＡ−Ａ矢視図。
【符号の説明】
１  原子炉圧力容器
１ａ  新規な原子炉圧力容器
１ｂ  原子炉圧力容器のフランジ
２  ノズル
３  原子炉圧力容器上蓋
３ａ  原子炉圧力容器上蓋のフランジ
４  配管
５  遮蔽壁
５ａ  上部遮蔽壁
５ｂ  下部遮蔽壁
６  開口部
７  ペデスタル
８  原子炉格納容器
９  支持部材
１０  スタットボルト
１１  スペーサー
１２  ジブクレーン
１３  吊り具
１４  ワイヤ
１５  原子炉建屋
１６  ベローズ
１７  バルクヘッド
１８  ボルト
Ａ  収納容器
【図１】
0003565371.tif 000002
【図２】
0003565371.tif 000003
【図３】
0003565371.tif 000004
【図４】
0003565371.tif 000005
【図５】
0003565371.tif 000006
【図６】
0003565371.tif 000007